(57)【特許請求の範囲】
【請求項１】
平面の輪郭が縦長の矩形をなしかつ一定の横断面形状を有すると共に金属から一体に形成されている屋根材において、
片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、該係合手段は、実質的に同じ構成を有する他の屋根材の被係合手段に解除自在に係合しうるよう構成され、
係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側にかつパネル本体の表面から離れる方向に、他側縁部リブの外側面に対し所定の角度で延び出す傾斜部と、傾斜部の先端に形成されかつ半円よりも長い円周面を有する被係合端部とからなる、
ことを特徴とする屋根材。
【請求項２】
平面の輪郭が縦長の矩形をなしかつ一定の横断面形状を有すると共に金属から一体に形成されている屋根材において、
片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、該係合手段は、実質的に同じ構成を有する他の屋根材の被係合手段に解除自在に係合しうるよう構成され、
係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側に突出した位置に形成されかつ半円よりも長い円周面を有し、他側縁部リブの外側面の先端と被係合突起の円周面とは、他側縁部リブの外側面に対し所定の角度で延び出す傾斜面により接続されている、
ことを特徴とする屋根材。
【請求項３】
片側縁領域の裏面と、中間領域及び他側縁領域の裏面との段差は、他側縁領域の厚さ以上である、請求項１又は請求項２記載の屋根材。
【請求項４】
アルミニウムを押出加工することにより一体に形成されている、請求項１〜３のいずれか１項に記載の屋根材。
【請求項５】
複数の支持部材と、支持部材の各々の上面に支持された複数の屋根材とを備えた屋根であって、屋根材の各々は、平面の輪郭が縦長の矩形をなしかつ一定の横断面形状を有すると共に金属から一体に形成されている屋根において、
屋根材の各々は、片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、一つの屋根材の被係合手段に実質的に同じ構成を有する他の屋根材の係合手段が順次に解除自在に係合されることにより、屋根材の各々は相互に幅方向に実質的に連続するよう連結され、
屋根材の各々において、係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
屋根材の各々において、片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側にかつパネル本体の表面から離れる方向に、他側縁部リブの外側面に対し所定の角度で延び出す傾斜部と、傾斜部の先端に形成されかつ半円よりも長い円周面を有する被係合端部とからなる、
ことを特徴とする屋根。
【請求項６】
一つの屋根材の被係合突起に他の屋根材の係合フックが係合された状態において、係合フックの反転部の内側面は、被係合突起の被係合端部における円周面領域であって、他側縁部リブの内側面に近接した領域を除く円周面領域を覆うよう重合され、係合フックの傾斜部の内側面は、被係合突起の傾斜部の外側面を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、請求項５記載の屋根。
【請求項７】
複数の支持部材と、支持部材の各々の上面に支持された複数の屋根材とを備えた屋根であって、屋根材の各々は、平面の輪郭が縦長の矩形をなしかつ一定の横断面形状を有すると共に金属から一体に形成されている屋根において、
屋根材の各々は、片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、一つの屋根材の被係合手段に実質的に同じ構成を有する他の屋根材の係合手段が順次に解除自在に係合されることにより、屋根材の各々は相互に幅方向に実質的に連続するよう連結され、
屋根材の各々において、係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
屋根材の各々において、片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側に突出した位置に形成されかつ半円よりも長い円周面を有し、他側縁部リブの外側面の先端と被係合突起の円周面とは、他側縁部リブの外側面に対し所定の角度で延び出す傾斜面により接続されている、
ことを特徴とする屋根。
【請求項８】
一つの屋根材の被係合突起に他の屋根材の係合フックが係合された状態において、係合フックの反転部の内側面は、被係合突起の円周面領域であって、他側縁部リブの内側面に近接した領域を除く円周面領域を覆うよう重合され、係合フックの傾斜部の内側面は、他側縁部リブの外側面の先端と被係合突起の円周面とを接続する該傾斜面を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、請求項７記載の屋根。
【請求項９】
屋根材の各々において、パネル本体の中間領域及び他側縁領域の裏面は実質的に共通の平面上に存在し、他の屋根材の係合フックの反転部の先端は、一つの屋根材の被係合端部又は被係合突起の中心を通る平面であって一つの屋根材におけるパネル本体の中間領域及び他側縁領域の裏面と平行な平面よりも裏面側に延び出した位置に存在する、請求項６又は請求項８記載の屋根。
【請求項１０】
屋根材の各々において、片側縁領域の裏面と、中間領域及び他側縁領域の裏面との段差は、他側縁領域の厚さ以上である、請求項５又は請求項７記載の屋根。
【請求項１１】
一つの屋根材の他側縁領域は、支持部材に対し固着部材により固着される、請求項５、７又は１０のいずれか１項に記載の屋根。
【請求項１２】
一つの屋根材の被係合手段に他の屋根材の係合手段が係合された状態において、該係合手段は、該被係合手段の外側面領域であって、他側縁部リブの内側面に近接した領域を除く外側面領域を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、請求項５、７、１０又は１１のいずれか１項に記載の屋根。
【請求項１３】
屋根材の各々は、アルミニウムを押出加工することにより一体に形成されている、請求項５〜１２のいずれか１項に記載の屋根。
【発明の詳細な説明】
【０００１】
【発明が属する技術分野】
本発明は、構造が簡単できわめて容易に一体成形することができる屋根材及び該屋根材を使用した屋根に関する。
【０００２】
【従来の技術】
建物の屋根の一つの典型例として、屋根材が配設される複数の支持部材と、支持部材の各々の上面に並列された複数の屋根材とから構成されたものが知られ、すでに実用化されている。屋根材の各々は、一般的に平面の輪郭が縦長の矩形状をなしかつ一定の横断面形状を有すると共に金属板、典型的にはトタン板から一体に形成されている。このような屋根材を使用した場合には、一つの屋根材を支持部材に固着し、他の屋根材の幅方向の片側縁部を上記一つの屋根材の幅方向の他側縁部に重合・連結することにより、順次に該幅方向に屋根が形成される。
【０００３】
相互に幅方向に隣接する屋根材同士の連結構造には種々の形態が存在する。該連結構造の一つの典型例としては、金属板からなる屋根材の片側縁部に係合フックが一体に形成され、他側縁部には被係合膨出部が一体に形成されたものを挙げることができる（特開平９−２５６５５７号公報参照）。係合フックの内側面には弾性シール部材が配設されている。この屋根材を使用した場合には、一つの屋根材を支持部材に釘やビスなどの固着具により固着し、他の屋根材の係合フックを、上記一つの屋根材の被係合膨出部に、弾性シール部材を介して上方から係合することにより、順次に幅方向に屋根が形成される。
【０００４】
【発明が解決しようとする課題】
上記した屋根材は相互の連結部のシール性を確保するために、弾性シール部材を配設しなければならないので、部品点数が増加し、製造コストが高くなる。また係合フック及び被係合膨出部の構成が比較的複雑であるので、簡単に成形できるとはいえず、更には防錆処理、例えば亜鉛メッキなどを施す必要があるので、この面においても製造コストが高くなる。更にはまた、外観上も好ましいとはいえない。
【０００５】
本発明の目的は、構造が簡単できわめて容易に一体成形することができ、したがって製造コストの低減を可能にすると共に、組付が迅速かつ容易であり、しかも所定のシール性を確保することができる、改良された屋根材及び該屋根材を使用した屋根を提供することである。
【０００６】
【課題を解決するための手段】
本発明の一局面によれば、
平面の輪郭が縦長の矩形をなしかつ一定の横断面形状を有すると共に金属から一体に形成されている屋根材において、
片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、該係合手段は、実質的に同じ構成を有する他の屋根材の被係合手段に解除自在に係合しうるよう構成され、
係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側にかつパネル本体の表面から離れる方向に、他側縁部リブの外側面に対し所定の角度で延び出す傾斜部と、傾斜部の先端に形成されかつ半円よりも長い円周面を有する被係合端部とからなる、
ことを特徴とする屋根材、が提供される。
本発明の他の局面によれば、
平面の輪郭が縦長の矩形をなしかつ一定の横断面形状を有すると共に金属から一体に形成されている屋根材において、
片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、該係合手段は、実質的に同じ構成を有する他の屋根材の被係合手段に解除自在に係合しうるよう構成され、
係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側に突出した位置に形成されかつ半円よりも長い円周面を有し、他側縁部リブの外側面の先端と被係合突起の円周面とは、他側縁部リブの外側面に対し所定の角度で延び出す傾斜面により接続されている、
ことを特徴とする屋根材、が提供される。
片側縁領域の裏面と、中間領域及び他側縁領域の裏面との段差は、他側縁領域の厚さ以上である、ことが好ましい。
アルミニウムを押出加工することにより一体に形成されている、ことが好ましい。
本発明の更に他の局面によれば、
複数の支持部材と、支持部材の各々の上面に支持された複数の屋根材とを備えた屋根であって、屋根材の各々は、平面の輪郭が縦長の矩形をなしかつ一定の横断面形状を有すると共に金属から一体に形成されている屋根において、
屋根材の各々は、片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、一つの屋根材の被係合手段に実質的に同じ構成を有する他の屋根材の係合手段が順次に解除自在に係合されることにより、屋根材の各々は相互に幅方向に実質的に連続するよう連結され、
屋根材の各々において、係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
屋根材の各々において、片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側にかつパネル本体の表面から離れる方向に、他側縁部リブの外側面に対し所定の角度で延び出す傾斜部と、傾斜部の先端に形成されかつ半円よりも長い円周面を有する被係合端部とからなる、
ことを特徴とする屋根、が提供される。
一つの屋根材の被係合突起に他の屋根材の係合フックが係合された状態において、係合フックの反転部の内側面は、被係合突起の被係合端部における円周面領域であって、他側縁部リブの内側面に近接した領域を除く円周面領域を覆うよう重合され、係合フックの傾斜部の内側面は、被係合突起の傾斜部の外側面を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、ことが好ましい。
本発明の更に他の局面によれば、
複数の支持部材と、支持部材の各々の上面に支持された複数の屋根材とを備えた屋根であって、屋根材の各々は、平面の輪郭が縦長の矩形をなしかつ一定の横断面形状を有すると共に金属から一体に形成されている屋根において、
屋根材の各々は、片側縁から所定の幅を有する片側縁領域と、他側縁から所定の幅を有する他側縁領域と、片側縁領域と他側縁領域との間の中間領域とを有するパネル本体と；片側縁からパネル本体の表面側に延び出す片側縁リブと；他側縁領域と中間領域との境界部から該表面側に延び出す他側縁部リブと；片側縁リブの先端に形成された係合手段と；他側縁部リブの先端に形成された被係合手段とを備え、片側縁領域の裏面は、中間領域及び他側縁領域の裏面よりも該表面側に突出した位置に存在し、一つの屋根材の被係合手段に実質的に同じ構成を有する他の屋根材の係合手段が順次に解除自在に係合されることにより、屋根材の各々は相互に幅方向に実質的に連続するよう連結され、
屋根材の各々において、係合手段は、片側縁リブの先端から片側縁リブの外側面側に延び出した位置で反転してなる係合フックからなり、被係合手段は、他側縁部リブの先端から他側縁部リブの内側面側に延び出した被係合突起からなり、
屋根材の各々において、片側縁リブ及び他側縁部リブは所定の厚さを有する板形状をなし、係合フックは、片側縁リブの先端から片側縁リブの外側面側にかつパネル本体の表面から離れる方向に、片側縁リブの内側面に対し所定の角度で延び出す傾斜部と、傾斜部の先端からほぼ半円形をなすようかつ片側縁リブの外側面に近付く方向に反転する反転部とからなり、被係合突起は、他側縁部リブの先端から他側縁部リブの内側面側に突出した位置に形成されかつ半円よりも長い円周面を有し、他側縁部リブの外側面の先端と被係合突起の円周面とは、他側縁部リブの外側面に対し所定の角度で延び出す傾斜面により接続されている、
ことを特徴とする屋根、が提供される。
一つの屋根材の被係合突起に他の屋根材の係合フックが係合された状態において、係合フックの反転部の内側面は、被係合突起の円周面領域であって、他側縁部リブの内側面に近接した領域を除く円周面領域を覆うよう重合され、係合フックの傾斜部の内側面は、他側縁部リブの外側面の先端と被係合突起の円周面とを接続する該傾斜面を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、ことが好ましい。
屋根材の各々において、パネル本体の中間領域及び他側縁領域の裏面は実質的に共通の平面上に存在し、他の屋根材の係合フックの反転部の先端は、一つの屋根材の被係合端部又は被係合突起の中心を通る平面であって一つの屋根材におけるパネル本体の中間領域及び他側縁領域の裏面と平行な平面よりも裏面側に延び出した位置に存在する、ことが好ましい。
屋根材の各々において、片側縁領域の裏面と、中間領域及び他側縁領域の裏面との段差は、他側縁領域の厚さ以上である、ことが好ましい。
一つの屋根材の他側縁領域は、支持部材に対し固着部材により固着される、ことが好ましい。
一つの屋根材の被係合手段に他の屋根材の係合手段が係合された状態において、該係合手段は、該被係合手段の外側面領域であって、他側縁部リブの内側面に近接した領域を除く外側面領域を覆うよう重合され、他の屋根材の片側縁リブの外側面は、一つの屋根材の他側縁部リブの外側面領域であって、パネル本体の他側縁領域の表面に近接した領域を除く外側面領域を覆うよう重合され、他の屋根材のパネル本体の片側縁領域の裏面は、一つの屋根材の他側縁領域の表面に対し隙間をおいて覆うよう位置付けられる、ことが好ましい。
屋根材の各々は、アルミニウムを押出加工することにより一体に形成されている、ことが好ましい。
【００１０】
【発明の実施の形態】
以下、添付図面を参照して、本発明に従って構成された屋根材及び該屋根材を使用した屋根の一実施形態を添付図面を参照して詳細に説明する。
【００１１】
図１及び図２を参照して、全体を番号１００で示す屋根材は、平面の輪郭が縦長の矩形をなしかつ一定の横断面形状を有すると共に金属から一体に形成されている。屋根材１００は、パネル本体１０と、片側縁リブ２０と、他側縁部リブ３０と、片側縁リブ２０の先端に形成された係合手段である係合フック４０と、他側縁部リブ３０の先端に形成された被係合手段である被係合突起５０とを備えている。実質的に一定の厚さを有するパネル本体１０は、幅方向（図１において左右方向）の片側縁から所定の幅を有する片側縁領域１０Ａと、幅方向の他側縁から所定の幅を有する他側縁領域１０Ｂと、片側縁領域１０Ａと他側縁領域１０Ｂとの間の中間領域１０Ｃとを有している。中間領域１０Ｃ及び他側縁領域１０Ｂの裏面（図１において下面）１０ｃ及び１０ｂは実質的に共通の平面上に存在する。片側縁領域１０Ａの裏面（図１において下面）１０ａは、中間領域１０Ｃ及び他側縁領域１０Ｂの裏面１０ｃ及び１０ｂよりもパネル本体１０の表面側（図１において上面側）に突出した位置に存在する。したがって、片側縁領域１０Ａと中間領域１０Ｃとの境界部には段部１１が形成されている。片側縁領域１０Ａの裏面１０ａは、中間領域１０Ｃ及び他側縁領域１０Ｂの裏面１０ｃ及び１０ｂと平行な他の平面上に存在する。片側縁領域１０Ａの裏面１０ａと、中間領域１０Ｃ及び他側縁領域１０Ｂの裏面１０ｃ及び１０ｂとの段差Ｓは、他側縁領域１０Ｂの厚さ以上、実施形態においては、他側縁領域１０Ｂの厚さよりも大きく設定されている。片側縁領域１０Ａの裏面１０ａの幅は、他側縁領域１０Ｂの幅よりも大きく設定されている。図示の実施形態において、パネル本体１０の他側縁領域１０Ｂには長手方向に間隔をおいて複数の取付孔１２が形成されている。
【００１２】
片側縁リブ２０は、所定の厚さを有する板形状をなし、パネル本体１０の片側縁（図１において左側縁）から、中間領域１０Ｃ及び他側縁領域１０Ｂの裏面１０ｃ及び１０ｂと共通な平面に対し直角に（実施形態においては、片側縁領域１０Ａの裏面１０ａ及び表面、中間領域１０Ｃ及び他側縁領域１０Ｂの表面、に対しても直角に）、パネル本体１０の表面側に延び出している。片側縁リブ２０の厚さは、実施形態においては、パネル本体１０の厚さと実質的に同じに設定されている。係合フック４０は、片側縁リブ２０の先端から片側縁リブ２０の外側面２０ａ側に（図１において、片側縁リブ２０からパネル本体１０の幅方向片側の外方である左方に）延び出した位置で反転してなる。更に具体的に説明すると、係合フック４０は、片側縁リブ２０の先端から片側縁リブ２０の外側面２０ａ側に、かつパネル本体１０の表面から離れる方向に（図１において上方に）、片側縁リブ２０の内側面２０ｂに対し所定の角度θ１で直線状に延び出す傾斜部４１と、傾斜部４１の先端からほぼ半円形をなすようかつ片側縁リブ２０の外側面２０ａに近付く方向に反転する反転部４２とからなる。反転部４２の内側面はほぼ半円形の円周面をなしている。係合フック４０の厚さは、パネル本体１０の厚さと実質的に同じに設定されている。傾斜部４１の所定の角度θ１は、これに限定されるものではないが、実施形態においては４５°に設定されている。
【００１３】
他側縁部リブ３０は、所定の厚さを有する板形状をなし、パネル本体１０の中間領域１０Ｃ及び他側縁領域１０Ｂの境界部から、中間領域１０Ｃ及び他側縁領域１０Ｂの裏面１０ｃ及び１０ｂと共通な平面に対し直角に（実施形態においては、パネル本体１０の中間領域１０Ｃ及び他側縁領域１０Ｂの表面に対しても直角に）、パネル本体１０の表面側に延び出している。他側縁部リブ３０の厚さは、実施形態においては、パネル本体１０の厚さと実質的に同じに設定されている。被係合突起５０は、他側縁部リブ３０の先端から他側縁部リブ３０の内側面３０ｂ側に（図１において、他側縁部リブ３０からパネル本体１０の幅方向内側である左方に）延び出すよう形成されている。更に具体的に説明すると、被係合突起５０は、他側縁部リブ３０の先端から他側縁部リブ３０の内側面３０ｂ側に、かつパネル本体１０の表面から離れる方向に（図１において上方に）、他側縁部リブ３０の外側面３０ａに対し所定の角度θ２で直線状に延び出す傾斜部５１と、傾斜部５１の先端に形成されかつ半円よりも長い円周面を有する被係合端部５２とからなる。被係合端部５２の円周面の半径は、係合フック４０の反転部４２の内側面の半径と実質的に同じに設定され、相互に係合されたとき相対回転可能にせしめられている。傾斜部４１の所定の角度θ２は、係合フック４０の傾斜部４１の所定の角度θ１と同じ角度に設定されている。したがって、該所定の角度θ２は、実施形態においては４５°である。パネル本体１０の中間領域１０Ｃ及び他側縁領域１０Ｂの裏面１０ｃ及び１０ｂから被係合端部５２の円周面の頂点までの高さは、該裏面１０ｃ及び１０ｂから係合フック４０の反転部４２の内側面の頂点までの高さと実質的に同じに設定されている。なお、図示の実施形態において、パネル本体１０の裏面を基準とし場合、パネル本体１０の片側縁領域１０Ａは、片側縁部リブ２０の外側面２０ａにより規定されるパネル本体１０の片側縁と段部１１の外側面との間の領域を示し、他側縁領域１０Ｂは、パネル本体１０の他側縁と、他側縁部リブ３０の外側面３０ａに共通な面との間の領域を示し、中間領域１０Ｃはそれらの間の領域を示している。
【００１４】
パネル本体１０の中間領域１０Ｃには、パネル本体１０の表面側に延び出す少なくとも１個、実施形態においては２個の補強リブ６０が、パネル本体１０の幅方向に間隔をおいて形成されている。補強リブ６０の各々は、パネル本体１０の中間領域１０Ｃ及び他側縁領域１０Ｂの裏面１０ｃ及び１０ｂに対し直角に（実施形態においては、中間領域１０Ｃ及び他側縁領域１０Ｂの表面に対しても直角に）、パネル本体１０の表面側に延び出すリブ本体６１と、リブ本体６１の先端からリブ本体６１の両側に、リブ本体６１に対して直角に同じ長さだけ延び出すフランジ６２とからなる。補強リブ６０の各々における、リブ本体６１及びフランジ６２は、それぞれ所定の厚さを有する板形状をなす。補強リブ６０の各々における、リブ本体６１及びフランジ６２の厚さは、実施形態においては、それぞれ、パネル本体１０の厚さと実質的に同じに設定されている。補強リブ６０の各々のフランジ６２の表面は、パネル本体１０の中間領域１０Ｃ及び他側縁領域１０Ｂの裏面１０ｃ及び１０ｂに平行な更に他の平面上に存在し、係合フック４０の頂点は該他の平面上に存在するよう構成されている。なお、補強リブ６０の各々は、屋根材１００における強度上の問題がなければ、配設しなくてもよい。
【００１５】
上記のように構成された屋根材１００は、全体として構成が簡単であり、アルミニウムを押出加工することによりきわめて容易に一体に形成することができる。したがって低コストで製造することが可能である。また、用途に応じてその厚さはもちろんのこと、長さ及び／又は幅を自由に設定することが可能であり、実用上有用である。またアルミニウムにより一体に形成することができるので、格別の防錆処理を施す必要もなく、長期にわたって使用できる。更にはまた、外観上もトタン板に比べて優れ、軽量であるにもかかわらず必要な剛性を十分に確保することが可能である。
【００１６】
次に上記のように構成された屋根材１００を使用して屋根を形成する具体的な手順について説明する。図２〜図４を参照して、番号７０は、図示しない建物に配設された、屋根材１００を取り付けて支持するための支持部材を示している。支持部材７０は、例えば、母屋、垂木、野地、梁など、建物の種類に対応して種々の形態がある。支持部材７０はまた、木材あるいは鋼材などの金属から形成される。図示の支持部材７０は、鋼製の中空角材から構成されている。先ず、一つの屋根材１００Ａを支持部材７０の上面の所定の位置に載置し、パネル本体１０の他側縁領域１０Ｂを、取付孔１２を介して固着具であるビス１３により支持部材７０の上面に締結する。一つの屋根材１００Ａは支持部材７０の上面の所定の位置に装着される。次いで実質的に同じ構成を有する他の屋根材１００Ｂを、支持部材７０の上面に装着された一つの屋根材１００Ａに対して、他の屋根材１００Ｂの係合フック４０の反転部４２の内側面が、一つの屋根材１００Ａの被係合突起５０の被係合端部５２に対向するよう、傾斜した状態に位置付け、この傾斜した状態で他の屋根材１００Ｂにおける係合フック４０の反転部４２を、一つの屋根材１００Ａにおける被係合突起５０の被係合端部５２に解除自在に係合する。反転部４２はほぼ半円形をなしているので、半円形よりも長い円周面を有する被係合端部５２に対しても容易に解除自在に係合させることができる。なお、反転部４２が半円形よりも周方向に長くなると、該係合は圧入となるので、反転部４２の周方向長さは半円形よりも長くならないように設定することが好ましい。
【００１７】
次いで、他の屋根材１００Ｂを、図３において矢印で示されている時計方向に旋回させて、支持部材７０の上面の所定の位置に載置する（図５及び図６参照）。該旋回動作は、他の屋根材１００Ｂにおける係合フック４０の反転部４２が、一つの屋根材１００Ａにおける被係合突起５０の被係合端部５２まわりに相対回転することにより、容易かつ円滑に遂行される。次いで、他の屋根材１００Ｂにおけるパネル本体１０の他側縁領域１０Ｂを、取付孔１２を介して固着具であるビス１３により支持部材７０の上面に締結する。図５及び図６に示されているように、一つの屋根材１００Ａと他の屋根材１００Ｂとは、幅方向に実質的に連続するように連結される。このようにして、相互に実質的に同じ構成を有する屋根材１００Ａ、Ｂ、Ｃ・・・を順次に幅方向に連結することにより、支持部材７０の上面に屋根が形成される。屋根材１００同士の組付は、上記したとおりにして一つの屋根材１００Ａに他の屋根材１００Ｂをワンタッチで係合し、そして他の屋根材１００Ｂを旋回させるのみのきわめて簡単な操作で遂行できるので、格別の技術を要することなく、容易かつ迅速にしかも確実に屋根を形成することが可能である。なお、図３及び図５に示されているように、支持部材７０の一端であり、したがって建物の一端に装着される一つの屋根材１００Ａの片側縁部は、図１に示されている屋根材１００におけるパネル本体１０の他側縁領域１０Ｂと、他側縁部リブ３０と、被係合突起５０とが一体に形成されてなる支持具８０を支持部材７０の一端にビス１３により固着しておくことにより、先に述べたと同じ係合及び旋回操作により、支持部材７０の一端に容易に装着することができることは、容易に理解されるであろう。
【００１８】
図５及び図６を参照して、一つの屋根材１００Ａにおける被係合突起５０に他の屋根材１００Ｂにおける係合フック４０が係合された状態において、係合フック４０の反転部４２の内側面（内周面）は、被係合突起５０の被係合端部５２における円周面領域であって、他側縁部リブ３０の内側面３０ｂに近接した領域を除く円周面領域を覆うよう実質的に密着して重合される。係合フック４０の反転部４２の先端は、一つの屋根材１００Ａの被係合端部５２の中心を通る平面であって、一つの屋根材１００Ａにおけるパネル本体１０の中間領域１０Ｃ及び他側縁領域１０Ｂの裏面１０ｃ及び１０ｂと平行な平面よりも裏面側に延び出した位置に存在する。係合フック４０の傾斜部４１の内側面は、被係合突起５０の傾斜部５１の外側面を覆うよう実質的に密着して重合される。他の屋根材１００Ｂの片側縁リブ２０の外側面２０ａは、一つの屋根材１００Ａにおける他側縁部リブ３０の外側面領域３０ａであって、パネル本体１０の他側縁領域１０Ｂの表面に近接した領域を除く外側面領域３０ａを覆うよう実質的に密着して重合される。また、他の屋根材１００Ｂにおけるパネル本体１０の片側縁領域１０Ａの裏面１０ａは、一つの屋根材１００Ａの他側縁領域１０Ｂの表面に対し隙間をおいて覆うよう位置付けられる。他の屋根材１００Ｂにおけるパネル本体１０の段部１１の外側面と、一つの屋根材１００Ａの他側縁（他側縁領域１０Ｂの側縁）との間には適宜の隙間が形成される。
【００１９】
以上の説明から明らかなように、一つの屋根材１００Ａと他の屋根材１００Ｂとの連結部は、相互に実質的に密着して重合されるので、雨水などの水の侵入が阻止され、シール部材を配設することなく、所要のシール性が確保される。特に、実施形態における如く、係合フック４０の反転部４２の先端は、一つの屋根材１００Ａの被係合端部５２の中心を通る平面であって一つの屋根材１００Ａにおけるパネル本体１０の中間領域１０Ｃ及び他側縁領域１０Ｂの裏面１０ｃ及び１０ｂと平行な平面よりも裏面側に延び出した位置に存在するよう構成された場合には、一つの屋根材１００Ａの他側縁部リブ３０の内側（図５及び図６において左側）からの水の侵入が効果的に防止される。また、ビス１３により固着されている一つの屋根材１００Ａのパネル本体１０における他側縁領域１０Ｂの表面は、他の屋根材１００Ｂのパネル本体１０の片側縁領域１０Ａにより覆われるので、ビス１３の周囲から雨水などの水の侵入が効果的に阻止される。更にはまた、他の屋根材１００Ｂにおけるパネル本体１０の片側縁領域１０Ａの裏面１０ａは、一つの屋根材１００Ａの他側縁領域１０Ｂの表面に対し隙間をおいて覆うよう位置付けられるので、ビス１３の頭部が、一つの屋根材１００Ａの他側縁領域１０Ｂの表面から突出しても、他の屋根材１００Ｂにおけるパネル本体１０の片側縁領域１０Ａの裏面１０ａとの干渉が回避される。
【００２０】
図７には、本発明による屋根材１００の他の実施形態が示されている。この屋根材１００において、被係合突起５０は、他側縁部リブ３０の先端から他側縁部リブ３０の内側面３０ｂ側に突出した位置に形成されかつ半円よりも長い円周面を有している。他側縁部リブ３０の外側面３０ａの先端と被係合突起５０の円周面とは、他側縁部リブ３０の外側面３０ａに対し所定の角度θ２で延び出す傾斜面３１により接続されている。所定の角度θ２は、図１に示されている屋根材１００におけると同じ４５°に設定されている。図７に示されている屋根材１００のその他の構成は、図１に示されている屋根材１００の構成と実質的に同じであるので、同一部分は同一符号で示し、更なる説明は省略する。
【００２１】
図７及び図８を参照して、一つの屋根材１００Ａの被係合突起５０に他の屋根材１００Ｂの係合フック４０が係合された状態において、係合フック４０の反転部４２の内側面（内周面）は、被係合突起５０の円周面領域であって、他側縁部リブ３０の内側面３０ｂに近接した領域を除く円周面領域を覆うよう実質的に密着して重合されている。他の屋根材１００Ｂにおける係合フック４０の反転部４２の先端は、一つの屋根材１００Ａの被係合突起５０の中心を通る平面であって一つの屋根材１００Ａにおけるパネル本体１０の中間領域１０Ｃ及び他側縁領域１０Ｂの裏面１０ｃ及び１０ｂと平行な平面よりも裏面側に延び出した位置に存在する。係合フック４０の傾斜部４１の内側面は、他側縁部リブ３０の外側面３０ａの先端と被係合突起５０の円周面とを接続する傾斜面３１を覆うよう実質的に密着して重合される。他の屋根材１００Ｂの片側縁リブ２０の外側面２０ａは、一つの屋根材１００Ａにおける他側縁部リブ３０の外側面領域３０ａであって、パネル本体１０の他側縁領域１０Ｂの表面に近接した領域を除く外側面領域３０ａを覆うよう実質的に密着して重合される。また、他の屋根材１００Ｂにおけるパネル本体１０の片側縁領域１０Ａの裏面１０ａは、一つの屋根材１００Ａの他側縁領域１０Ｂの表面に対し隙間をおいて覆うよう位置付けられる。他の屋根材１００Ｂにおけるパネル本体１０の段部１１の外側面と、一つの屋根材１００Ａの他側縁（他側縁領域１０Ｂの側縁）との間には適宜の隙間が形成される。
【００２２】
上記説明から容易に理解されるように、図７に示されている屋根材１００は、図１に示されている屋根材１００と実質的に同じ特徴を有する基本的構成を備えているので、屋根材として、また屋根を形成した場合において、先の実施形態と実質的に同じ作用効果を奏することができる。
【００２３】
図９には、図１に示されている屋根材１００を使用して形成された屋根を備えている駐車場の実施形態が示されている。図示の駐車場は、紙面の表裏方向に間隔をおいて配設された複数対の支柱ユニット２００Ａ及び２００Ｂと、支柱ユニット２００Ａ及び２００Ｂの頂部からそれぞれ相互に反対方向にかつ上方に向かって傾斜して延び出す梁２０２Ａ及び２０２Ｂと、梁２０２Ａ及び２０２Ｂの各々上に、図９において左右方向に間隔をおいて紙面の表裏方向に延在する複数の支持部材７０とを備えている。そして複数の支持部材７０上に屋根材１００が、先に述べたとおりにして、紙面の表裏方向に実質的に連続するよう配設され、屋根を形成している。
【００２４】
図１０には、図１に示されている屋根材１００を使用して形成された屋根を備えているプレハブ式建築物の実施形態が示されている。図示の建築物は、折畳式及び組立式の２階建の建築物であり、１階と２階との境界である床枠体２１０には、図１０において左右側部にそれぞれ、側壁枠体２１１が配設され、紙面の表裏方向の両端に、それぞれ一対の端壁枠体２１２が備えられている。そして側壁枠体２１１及び端壁枠体２１２の上端には、複数の上記支持部材７０を含む一対の屋根枠体２１３が配設されている。屋根枠体２１３の各々は、建築物の、図１０において左右方向中央からそれぞれ左方及び右方に向かって下方に傾斜するよう配設されている。支持部材７０は、図１０において左右方向に間隔をおいて紙面の表裏方向に延在する。そして支持部材７０を含む屋根枠体２１３の各々上に、屋根材１００が、先に述べたとおりにして、紙面の表裏方向に実質的に連続するよう配設され、屋根を形成している。この建築物は、例えば、家屋、仮設住宅、倉庫、事務所、軍隊などの簡易宿泊施設などに適用することができる。
【００２５】
図１１には、図１に示されている屋根材１００を使用して形成された屋根を備えているプレハブ式建築物の他の実施形態が示されている。図示の建築物は、組立式の２階建の建築物であり、複数の支柱２２０と、支柱２２０の上下方向中間部に配設されて１階と２階との境界をなす床枠体２２１と、支柱２２０の上端に配設された屋根枠体２２２とを備えている。屋根枠体２２２の上端は、建築物の、図１１において左から右に向かって下方に傾斜している。支持部材７０は、屋根枠体２２２の傾斜した上端において、図１１において左右方向に間隔をおいて紙面の表裏方向に延在する。そして支持部材７０上に、屋根材１００が、先に述べたとおりにして、紙面の表裏方向に実質的に連続するよう配設され、屋根を形成している。この建築物は、例えば、床枠体２２１の上方を居所、事務所、作業所、店舗などに利用することができ、床枠体２２１の下方を車庫などの空間として利用することができる。なお、図示の建築物における支柱２２０の下端と、地面に載置または固定されるベース部材との間には耐震構造が配設されている。
【００２６】
以上、本発明による屋根材及び該屋根材を使用した屋根の一実施形態について説明したが、本発明は前記実施形態に限定されるものではなく、本発明の範囲を逸脱することなく種々の変形あるいは修正が可能である。例えば上記実施形態において、屋根材１００のパネル本体１０における他側縁領域１０Ｂには取付孔１２が形成され、取付孔１２を介してビス１３により締結することにより、屋根材１００が支持部材７０の上面に装着されるよう構成されているが、ビス１３に代えてボルト、タッピングスクリューあるいはリベットなどの他の固着具を使用することも必要に応じて可能である。また、パネル本体１０の他側縁領域１０Ｂに取付孔１２を形成しない他の実施形態もある。この場合、固着具として、釘、ビス、タッピングスクリューなどを使用し、他側縁領域１０Ｂに直接打ち込むか、又は直接ねじ込むことにより、屋根材１００を支持部材７０に装着することも可能である。もちろん、支持部材７０が金属製であるか木製であるかによって、固着の形態を適宜に選定すればよい。
【００２７】
上記実施形態において、屋根材１００のパネル本体１０の中間領域１０Ｃは、平板形状をなしているが、波形など、適宜の形状の凹凸を形成する他の実施形態もある。この場合、パネル本体１０の中間領域１０Ｃ及び他側縁領域１０Ｂの裏面であって、共通の平面上に存在する裏面とは、該裏面の最も低い位置に存在する裏面を意味するものである。また、上記実施形態において、他の屋根材１００Ｂにおけるパネル本体１０の片側縁領域１０Ａの裏面１０ａは、一つの屋根材１００Ａの他側縁領域１０Ｂの表面に対し隙間をおいて覆うよう位置付けられているが、実質的に密着して覆うよう位置付けられる他の実施形態もある。この実施形態の場合、ビス１３などの固着具の頭部は、他側縁領域１０Ｂの表面から突出しないよう取り付けられなければならない。更にはまた、上記実施形態において、パネル本体１０の片側縁領域１０Ａの裏面１０ａは、中間領域１０Ｃ及び他側縁領域１０Ｂの裏面１０ｃ及び１０ｂ、すなわち裏面１０ｃ及び１０ｂに共通な平面と平行な他の平面上に存在するよう構成されているが、裏面１０ｃ及び１０ｂに共通な平面に対し傾斜した面から構成される他の実施形態、あるいは、他の適宜の形状をなす面から構成される更に他の実施形態であってもよい。なお、本発明による屋根材１００を使用した屋根は、駐車場、倉庫、事務所、店舗、家屋、簡易宿泊施設、仮設住宅、イベント用のステージ、その他の建物などを含む構造物、特にプレハブ式の構造物などに、広く適用可能であることはいうまでもない。
【００２８】
【発明の効果】
本発明に従って構成された屋根材及び該屋根材を使用した屋根によれば、構造が簡単できわめて容易に一体成形することができ、したがって製造コストの低減を可能にすると共に、組付が迅速かつ容易であり、しかも所定のシール性を確保することができる。
【図面の簡単な説明】
【図１】本発明に従って構成された屋根材の一実施形態を長手方向から見た正面図。
【図２】図１に示されている屋根材の斜視図。
【図３】図１に示されている一つの屋根材と、同じ構成を有する他の屋根材とを、相互に係合して屋根の一部を形成する途中の状態を示す正面図。
【図４】図３に示されている屋根材同士の係合部を拡大して示す正面図。
【図５】図３に示されている屋根材同士が相互に係合されて屋根の一部を形成した状態を示す正面図。
【図６】図５に示されている屋根材同士の係合部を拡大して示す正面図。
【図７】本発明に従って構成された屋根材の他の実施形態を長手方向から見た正面図。
【図８】図５に示されている屋根材と、同じ構成を有する他の屋根材とが相互に係合され屋根の一部を形成した状態における、屋根材同士の係合部を拡大して示す正面図。
【図９】図１に示されている屋根材を使用して形成された屋根を備えている駐車場の実施形態を示す側面図。
【図１０】図１に示されている屋根材を使用して形成された屋根を備えているプレハブ式建築物の実施形態を示す側面図。
【図１１】図１に示されている屋根材を使用して形成された屋根を備えているプレハブ式建築物の他の実施形態を示す側面図。
【符号の説明】
１０  パネル本体
１０Ａ  片側縁領域
１０Ｂ  他側縁領域
１０Ｃ  中間領域
１０ａ  片側縁領域の裏面
１０ｂ  他側縁領域の裏面
１０ｃ  中間領域の裏面
２０  片側縁リブ
３０  他側縁部リブ
３１  傾斜面
４０  係合フック（係合手段）
４１  傾斜部
４２  反転部
５０  被係合突起（被係合手段）
５１  傾斜部
５２  被係合端部
１００、１００Ａ、１００Ｂ  屋根材
【図１】
0003749199.tif 000002
【図２】
0003749199.tif 000003
【図３】
0003749199.tif 000004
【図４】
0003749199.tif 000005
【図５】
0003749199.tif 000006
【図６】
0003749199.tif 000007
【図７】
0003749199.tif 000008
【図８】
0003749199.tif 000009
【図９】
0003749199.tif 000010
【図１０】
0003749199.tif 000011
【図１１】
0003749199.tif 000012